(57)【特許請求の範囲】
【請求項１】
テレビジョン放送のアナログ放送信号を受信すると共に、アナログのＡＦＴ（Auto Fine Turning）電圧信号を出力する受信手段と、この受信手段が受信したアナログ放送信号をデジタル信号に変換する第１のＡＤ変換手段と、前記受信手段が出力したアナログのＡＦＴ電圧信号をデジタルのＡＦＴ電圧信号に変換する第２のＡＤ変換手段と、この第２のＡＤ変換手段によって変換されたデジタルのＡＦＴ電圧信号及び前記第１のＡＤ変換手段によって変換されたデジタル信号に含まれる同期信号に基いて、テレビジョン放送の発信周波数を検出する周波数検出手段と、この周波数検出手段が検出したテレビジョン放送の発信周波数を記憶する記憶手段と、前記受信手段の受信周波数を調整する指令を出力する周波数調整手段とを備え、前記周波数調整手段は、前記受信手段が受信可能である下限の周波数から上限の周波数に至るまで前記受信手段の受信周波数を所定の値ずつ増減させ、前記周波数検出手段は、前記デジタルのＡＦＴ電圧信号が基準値の１／２倍の値となる周波数を検出し、その周波数をテレビジョン放送の発信周波数として前記記憶手段に登録する放送自動検出機能を有するテレビジョン放送受信装置において、
前記周波数検出手段がテレビジョン放送の発信周波数を前記記憶手段に登録させた後、放送を検出した旨の放送検出フラグをセットするフラグ付与手段と、
前記受信手段の受信周波数が増減されたとき、前記放送検出フラグがセットされているかを判定する判定手段と、
この判定手段が前記放送検出フラグがセットされていると判定したとき、前記周波数検出手段の周波数検出動作又は前記記憶手段の周波数記憶動作を制限する動作制限手段と、
前記デジタルのＡＦＴ電圧信号の電圧レベルを検知し、該ＡＦＴ電圧信号の電圧レベルが前記基準値の１／２倍の値より十分高くなったとき、前記記憶手段に記憶された放送検出フラグをクリアして前記周波数検出手段又は記憶手段の各動作の制限を解除する動作制限解除手段を備え、
前記周波数検出手段又は記憶手段は、ＡＦＴ電圧信号の電圧レベルが前記基準値の１／２倍の値より十分高くなるまで周波数をずらしてから放送の検出処理又は登録処理を再開し、同一の放送の発信周波数を複数回登録しないようにしたことを特徴とする放送自動検出機能を有するテレビジョン放送受信装置。
【発明の詳細な説明】
【０００１】
【発明の属する技術分野】
本発明は、放送の発信周波数を検出し、予め登録する放送自動検出（チャンネルプリセット）機能を有するテレビジョン放送受信装置に関するものである。
【０００２】
【従来の技術】
従来より、放送を受信する受信装置においては、複数のチャンネルの信号を周期的に受信する際、その受信周期を短くすると共に受信周期のばらつきを少なくすることにより、得られる情報の欠落を抑えるようにした受信装置が知られている（例えば、特開平１０−２７６３８５号公報参照）。また、ＡＧＣ電圧が所定値より大きいとき、ＡＦＴ（Auto Fine Turning）電圧を低くシフトさせることにより、アンテナ入力が弱電界の場合でも確実に選局動作できるようにした選局回路を備えた受信装置が知られている（例えば、特開平６−１５２３３３号公報参照）。また、ＰＬＬ回路がアンロック状態であることを検出する検出回路を備え、この検出回路の出力信号に基いてＡＦＴ電圧を規定し、１つのチャンネルの同調状態を正確に判断できるようにした受信装置が知られている（例えば、特開平１０−３２７６８号公報参照）。
【０００３】
ところで、ヨーロッパ等においては、各国毎に異なる周波数帯域によってテレビジョン放送が発信されている。このような広域な地域向けの放送受信装置では、工場出荷時に各国別に受信周波数をプリセットする作業が煩雑であるため、装置がユーザの自宅等に設置された後、受信可能な周波数全域に亘って自動的に放送の発信周波数を検出し、登録する放送自動検出機能を有する放送受信装置が好適とされている。
【０００４】
上記放送自動検出機能を有する放送受信装置においては、チューナの受信周波数を所定の値ずつ上げながら、そのときのＡＦＴ電圧を検知することにより、放送の有無の判断を行うようにした装置が知られている。このような装置では、放送信号の発信周波数とチューナの受信周波数のずれが一番小さいときＡＦＴ電圧がその基準値の１／２倍の値となることを利用して、ＡＦＴ電圧が基準値の１／２倍の値となる周波数を検出し、その周波数を放送の発信周波数としてメモリに記憶するようにしている。
【０００５】
チューナの受信周波数を徐々に上げたとき、ＡＦＴ電圧は、よく知られているように、放送信号の発信周波数以外の周波数において上記基準値よりやや低い最大値を取り、放送信号の発信周波数付近から下降を始め、発信周波数において上記基準値の１／２の値を経た後、略０［Ｖ］付近まで下降する。その後、一定の最小値を取った後、急激に上昇し元の値（最大値）に戻る。ＡＦＴ電圧が下降しながら上記基準値の１／２倍の値を経た後、再び上昇しながら上記基準値の１／２倍の値より高くなるまでの周波数の範囲、すなわち、ＡＦＴ電圧が上記基準値の１／２倍の値より低い周波数の範囲は、放送局によって異なるが、通常はチューナの性能に依存し、例えばあるチューナを用いた場合、約１ＭＨｚの範囲においてＡＦＴ電圧が上記基準値の１／２倍の値より低くなる。
【発明が解決しようとする課題】
【０００６】
このような、チューナの受信周波数を変化させながらＡＦＴ電圧を検知し、放送信号を検出するテレビジョン放送受信装置においては、放送信号の検出を迅速に行うために、チューナの受信周波数は、ある程度の間隔を隔てて変化されることが必要とされ、例えば、約０．３ＭＨｚずつ上げられるようにしている。しかしながら、上述したように、ＡＦＴ電圧が基準値の１／２倍の値より低い周波数の範囲は約１ＭＨｚであり上記受信周波数の変化のステップより広いため、次の放送を探すためにチューナの受信周波数を上げたにも関わらず、同じ放送が繰り返し検出されるという不都合が生ずる。
【０００７】
そこで、ＡＦＴ電圧が基準値の１／２倍の値となる周波数を検出したときは、チューナの受信周波数を数ＭＨｚずらすことにより、同じ放送を繰り返して検出し、登録しないようにする対策を施した装置も考えられる。しかしながら、上述したＡＦＴ電圧が基準値の１／２倍の値より低い周波数の範囲は、放送局毎に異なるものであり、放送局によっては１ＭＨｚ以上続くこともある。また、上記ずらした周波数の数ＭＨｚの範囲内に別の放送局の放送が発信されていないとも限られない。従って、チューナの受信周波数をどの程度ずらせば良いのかを確定することができない。仮に、チューナの受信周波数を５ＭＨｚ程度ずらしたとき、この周波数の範囲内に別の放送局の放送が発信されていれば、その放送は検出できないという問題がある。
【０００８】
本発明は、上述した問題点を解決するためになされたものであり、同じ放送を繰り返し登録しないようにしながら、受信可能な放送を全て検出し、登録することができるようにしたテレビジョン放送受信装置を提供することを目的とする。
【０００９】
【課題を解決するための手段】
上記目的を達成するために請求項１の発明は、テレビジョン放送のアナログ放送信号を受信すると共に、アナログのＡＦＴ（Auto Fine Turning）電圧信号を出力する受信手段と、この受信手段が受信したアナログ放送信号をデジタル信号に変換する第１のＡＤ変換手段と、受信手段が出力したアナログのＡＦＴ電圧信号をデジタルのＡＦＴ電圧信号に変換する第２のＡＤ変換手段と、この第２のＡＤ変換手段によって変換されたデジタルのＡＦＴ電圧信号及び第１のＡＤ変換手段によって変換されたデジタル信号に含まれる同期信号に基いて、テレビジョン放送の発信周波数を検出する周波数検出手段と、この周波数検出手段が検出したテレビジョン放送の発信周波数を記憶する記憶手段と、受信手段の受信周波数を調整する指令を出力する周波数調整手段とを備え、周波数調整手段は、受信手段が受信可能である下限の周波数から上限の周波数に至るまで受信手段の受信周波数を所定の値ずつ増減させ、周波数検出手段は、デジタルのＡＦＴ電圧信号が基準値の１／２倍の値となる周波数を検出し、その周波数をテレビジョン放送の発信周波数として記憶手段に登録する放送自動検出機能を有するテレビジョン放送受信装置において、周波数検出手段がテレビジョン放送の発信周波数を記憶手段に登録させた後、放送を検出した旨の放送検出フラグをセットするフラグ付与手段と、受信手段の受信周波数が増減されたとき、放送検出フラグがセットされているかを判定する判定手段と、この判定手段が放送検出フラグがセットされていると判定したとき、周波数検出手段の周波数検出動作又は記憶手段の周波数記憶動作を制限する動作制限手段と、デジタルのＡＦＴ電圧信号の電圧レベルを検知し、該ＡＦＴ電圧信号の電圧レベルが基準値の１／２倍の値より十分高くなったとき、記憶手段に記憶された放送検出フラグをクリアして周波数検出手段又は記憶手段の各動作の制限を解除する動作制限解除手段を備え、周波数検出手段又は記憶手段は、ＡＦＴ電圧信号の電圧レベルが基準値の１／２倍の値より十分高くなるまで周波数をずらしてから放送の検出処理又は登録処理を再開し、同一の放送の発信周波数を複数回登録しないようにしたものである。
【００１０】
この構成においては、受信手段が、受信周波数を調整し、ある放送局から発信される放送信号を受信したとき、その放送局の放送信号を継続して受信している間、動作制限手段が、周波数検出手段又は記憶手段の動作を制限し、同一の放送の発信周波数を複数回登録しないようにする。動作制限手段は、放送検出フラグに基いて上記動作を制限する。放送検出フラグは、周波数検出手段があるテレビジョン放送を検出し、その局を記憶手段に登録した後、フラグ付与手段によってセットされる。
【００１１】
上記セットされた放送検出フラグは、ＡＦＴ電圧信号の電圧レベルが基準値の１／２倍の値より十分高くなったことを検知した動作制限解除手段によってクリアされる。この放送検出フラグのクリアにより、上記動作制限は解除され、ＡＦＴ電圧信号の電圧レベルが基準値の１／２倍の値より十分高くなるまで受信周波数がずらされた後、次なる放送の検出処理又は登録処理が周波数検出手段又は記憶手段によって再開される。以上の動作を受信手段が受信可能である下限の周波数から上限の周波数に至るまで繰り返すことにより、受信手段が受信可能な全ての放送が検出される。なお、上記ＡＦＴ電圧信号の電圧レベルが基準値の１／２倍の値より十分高くなる電圧レベルとは、次回のＡＦＴ電圧信号の検知時において受信手段の受信周波数が同一の放送の周波数帯域から外れるのに十分な電圧レベルをいう。
【００１４】
【発明の実施の形態】
（実施形態１）
以下、本発明の一実施形態によるテレビジョン放送受信装置を備えたハードディスクレコーダについて図面を参照して説明する。図１はハードディスクレコーダのブロック図を示している。ハードディスクレコーダ１は、入力された映像・音声信号をＭＰＥＧ規格に準拠するデジタルデータに圧縮変換し、ハードディスク９に記録する映像・音声記録装置である。ハードディスクレコーダ１は、アンテナ３ａを介してアナログのテレビジョン放送信号を受信し、デジタルの映像・音声信号に変換して出力するテレビジョン放送受信装置２と、テレビジョン放送受信装置２から出力されたデジタルの映像・音声信号をＭＰＥＧ規格で圧縮するＭＰＥＧエンコーダ８と、ＭＰＥＧエンコーダ８によって圧縮されたＭＰＥＧデータを記録するハードディスク９を備えている。また、ハードディスクレコーダ１は、ハードディスク９に記録されたＭＰＥＧデータを読み出してデジタルの映像・音声信号に復号するＭＰＥＧデコーダ１０と、ＭＰＥＧデコーダ１０が復号したデジタルの映像・音声信号をアナログの映像・音声信号に変換してＴＶモニタ装置２０に出力するビデオエンコーダ１１も備えている。
【００１５】
テレビジョン放送受信装置２は、チャンネル選択を迅速かつ容易に行えるように、放送の発信周波数を検出し、予め登録する放送自動検出（チャンネルプリセット）機能を有している。本テレビジョン放送受信装置２における放送の発信周波数の検出は、ＡＦＴ電圧信号を検知することによりなされる。ＡＦＴ電圧信号は、本来、テレビジョン放送の発信周波数と受信周波数の微妙なずれを調整するときに検知する信号である。本テレビジョン放送受信装置２は、発信周波数と受信周波数のずれが一番小さいときＡＦＴ電圧がその基準値の１／２倍の値となることを利用して、ＡＦＴ電圧が基準値の１／２倍の値となる周波数を検出することによりテレビジョン放送を検出する。
【００１６】
テレビジョン放送受信装置２は、アナログ信号で発信されるテレビジョンの放送信号を受信すると共に、アナログのＡＦＴ電圧信号を出力するチューナ（受信手段）３と、このチューナ３が受信したアナログの放送信号をデジタルの映像・音声信号に変換するビデオエンコーダ（第１のＡＤ変換手段）４と、チューナ３が出力したアナログのＡＦＴ電圧信号をデジタルのＡＦＴ電圧信号に変換するＡＤコンバータ（第２のＡＤ変換手段）５と、ハードディスクレコーダ１の各部の制御を司るマイコン（周波数検出手段、周波数調整手段、フラグ付与手段、判定手段、動作制限手段、動作制限解除手段）６と、マイコン６の動作プログラム及びマイコン６が検出した放送の発信周波数を記憶する不揮発性のメモリ（記憶手段）７とを備えている。
【００１７】
放送自動検出処理時において、マイコン６は、チューナ３が受信可能な下限の周波数から上限の周波数に至るまで、周波数を所定の値ずつ増減させたチューナ周波数を設定し、チューナ３に受信周波数を調整する指令を出力する。この指令を受けたチューナ３は、上記チューナ周波数にチューニングし、アナログのＡＦＴ電圧信号をＡＤコンバータ５に出力する。ＡＤコンバータ５は、チューナ３から出力されたアナログのＡＦＴ電圧信号をマイコン６が検出できるようにデジタル信号に変換する。マイコン６は、ＡＤコンバータ５が変換したデジタルのＡＦＴ信号を検出し、それに基いて放送を検出する。
【００１８】
図２は、チューナ３が受信する受信周波数と、チューナ３から出力されたＡＦＴ電圧信号の関係を示している。図２において、帯域Ａはチューナ３の受信周波数が放送の発信周波数の帯域から外れＡＦＴ電圧が基準値Ｈよりやや低い値（最大値）を取る周波数帯域を、周波数ＢはＡＦＴ電圧が下降し１／２Ｈの値を取る周波数を、帯域ＣはＡＦＴ電圧がさらに略０［Ｖ］付近まで下降し１／２Ｈの値を下回る周波数帯域を、周波数Ｄはその後ＡＦＴ電圧が急激に上昇し、１／２Ｈの値より十分高くなる周波数をそれぞれ示している。また、周波数Ｄよりもチューナ３の受信周波数が高くなると、ＡＦＴ電圧は基準値Ｈよりやや低い元の値に戻る。なお、ＡＦＴ電圧信号の電圧レベルが１／２Ｈの値より十分高くなる電圧レベルとは、次回のＡＦＴ電圧信号の検知時においてチューナ３の受信周波数が同一の放送の周波数帯域から外れるのに十分な電圧レベルをいう。
【００１９】
本テレビジョン放送受信装置２においては、放送の検出にあたってチューナの受信周波数を約０．３ＭＨｚずつ上げながら、ＡＦＴ電圧信号の電圧レベルを検知する。ここで、上記電圧レベルが１／２Ｈの値よりも小さくなれば、受信周波数を約０．３ＭＨｚ戻した後、さらに細かいステップで受信周波数を上げ、ＡＦＴ電圧が１／２Ｈの値となる正確な周波数を検出するようにしている。これにより、放送の発信周波数を正確に検出することができる。
【００２０】
また、図２によって示される受信周波数とＡＦＴ電圧の関係は、テレビジョン放送に限らずＦＭ放送等においても同様に見られる。従って、テレビジョン放送及びＦＭ放送の発信に使用されている周波数帯域が国毎に異なるヨーロッパ等の広域な地域において使用される放送受信装置では、テレビジョンの放送信号とＦＭの放送信号を混同しないように区別して検出する必要がある。そこで、本テレビジョン放送受信装置２においては、マイコン６によるテレビジョンの放送検出処理は、ＡＦＴ電圧信号に加えてビデオエンコーダ４によって変換されたデジタル信号に含まれるテレビジョン放送に特有の同期信号に基いてなされるようにしている。
【００２１】
マイコン６は、帯域Ａにおいてチューナ３に受信周波数を調整する指令を出力しながら、ＡＦＴ電圧が１／２Ｈの値を取るテレビジョン放送の周波数ｆを検出すると、それを放送の発信周波数としてメモリ７に登録する。さらにマイコン６は、ＡＦＴ電圧が１／２Ｈより小さい値を取る帯域Ｃにおいては、同一の放送局の放送信号を継続して受信していると判断し、重複した放送検出処理及び登録処理を制限する。その後、マイコン６は周波数Ｄにおいて、ＡＦＴ電圧が１／２Ｈより十分高い値を取ることを検知すると、チューナ３の受信周波数が同一の放送の周波数帯域から間もなく外れると判断し、メモリ７への登録処理の制限を解除して、次なる放送の検出処理又は登録処理を再開させる。
【００２２】
マイコン６による重複した放送検出処理及び登録処理の制限、並びにその解除は、テレビジョン放送を検出している状態を示す放送検出フラグの有無に基いて処理される。放送検出フラグは、ＡＦＴ電圧の電圧レベルが１／２Ｈとなるテレビジョン放送を検出し、その局を記憶手段に登録した後にセットされ、ＡＦＴ電圧信号の電圧レベルが基準値の１／２倍の値より十分高くなったことを検知したときクリアされる。これにより、チューナ３があるテレビジョン放送を検出した後、同一の放送局の放送信号を継続して受信している間においては、放送検出フラグはセットされた状態とされ、重複した放送検出処理及び登録処理が制限される。
【００２３】
本テレビジョン放送受信装置２の放送検出時におけるマイコン６の動作について、図３を参照して説明する。放送自動検出の指示を受けたマイコン６は、チューナ３の周波数を設定し（＃１）、チューナ３に受信周波数を調整する指令を出力する。そして、マイコン６は、放送検出フラグがセットされていなければ（＃２においてＮＯ）、ＡＦＴ電圧を検出し、放送検出処理を実行する（＃８）。この放送検出処理によって、ＡＦＴ電圧が１／２Ｈとなるテレビジョン放送を検出しなければ（＃９においてＮＯ）、＃５に移行する。その後、放送検出終了の周波数（チューナ３が受信可能である周波数の上限値）でなければ（＃５においてＮＯ）、周波数を０．３ＭＨｚ上げ（＃６）、＃１に戻る。帯域Ａにおけるマイコン６の動作は、以上の処理のループによって示される。また、＃８の放送検出処理によって、ＡＦＴ電圧が１／２Ｈとなるテレビジョン放送を検出すれば（＃９においてＹＥＳ）、そのときの受信周波数をテレビジョン放送の周波数ｆとしてメモリ７に登録する処理を実行し（＃１０）、放送検出フラグをセットした後（＃１１）、＃５に移行する。周波数Ｂにおけるマイコン６の動作は、以上の処理を含んだループによって示される。
【００２４】
一方、＃２において放送検出フラグがセットされていれば、ＡＦＴ電圧を確認し（＃３）、このＡＦＴ電圧が１／２Ｈより十分高くなければ（＃４においてＮＯ）、＃５に移行する。帯域Ｃにおけるマイコン６の動作は、以上の処理を含んだループによって示される。ＡＦＴ電圧が１／２Ｈより十分高ければ（＃４においてＹＥＳ）、放送検出フラグをクリアした後（＃７）、＃５に移行する。周波数Ｄにおけるマイコン６の動作は、以上の処理を含んだループによって示される。チューナ３の受信周波数が放送検出終了の周波数に達するまで上記処理を繰り返し、放送検出終了の周波数に達すれば（＃５においてＹＥＳ）、処理を終了する。
【００２５】
このように、本テレビジョン放送受信装置２では、マイコン６は、ＡＦＴ電圧信号の電圧レベルが１／２Ｈの値より小さくなったことを検出した後、１／２Ｈの値より十分高くなるのを検知するまで、メモリ７への重複した登録処理を制限するので、同一の放送を複数回登録することがなくなる。さらに、マイコン６は、チューナ３の周波数が同一の放送の周波数帯域から間もなく外れると判断できる程度にＡＦＴ電圧信号の電圧レベルが高くなると制限していたメモリ７への登録処理を解除するので、次なる放送の検出処理又は登録処理が再開され、チューナ３が受信可能な全ての放送を漏れなく検出することができる。
【００２６】
なお、本発明は上記実施形態の構成に限られることなく種々の変形が可能であり、例えば、テレビジョン放送受信装置は、ハードディスクレコーダに内蔵される形態に限られることなく、テレビジョン受像機やビデオカセットレコーダに内蔵する形態であってもよい。また、受信する放送信号はアナログのテレビジョン放送に限られることなく、デジタルのテレビジョン放送であってもよい。この場合は、ビデオエンコーダ及びＡＤコンバータは省略してもよい。また、上記放送信号は、テレビジョン放送に限られることなく、ＦＭ放送等にも幅広く適用することもできる。
【００２７】
【発明の効果】
以上のように請求項１の発明によれば、ＡＦＴ電圧信号の電圧レベルが基準値の１／２倍の値より十分高くなるまで、動作制限手段が周波数検出手段又は記憶手段の動作を制限するので、同一の放送を複数回登録することがなくなる。しかも、ＡＦＴ電圧信号の電圧レベルが基準値の１／２倍の値より十分高くなると動作制限解除手段が周波数検出手段又は記憶手段の動作制限を解除するので、次なる放送の検出又は登録が再開され、受信手段が受信可能な全ての放送を漏れなく検出することができ、放送の自動検出が適正に行えるようになる。
【図面の簡単な説明】
【図１】  本発明の一実施形態によるテレビジョン放送受信装置を備えたハードディスクレコーダの構成を示したブロック図。
【図２】  同装置のチューナが受信する受信周波数と、同チューナから出力されるＡＦＴ電圧信号の関係を示した図。
【図３】  同装置に備えられたマイコンの放送検出時における動作を示したフローチャート。
【符号の説明】
２    テレビジョン放送受信装置
３    チューナ（受信手段）
４    ビデオエンコーダ（第１のＡＤ変換手段）
５    ＡＤコンバータ（第２のＡＤ変換手段）
６    マイコン（周波数検出手段、周波数調整手段、フラグ付与手段、判定手段、動作制限手段、動作制限解除手段）
７    メモリ（記憶手段）
【図１】
0003680808.tif 000002
【図２】
0003680808.tif 000003
【図３】
0003680808.tif 000004